(57)【要約】【課題】接触インターフェースのインフラで利用されるために、ＩＣカードに実装されるＯＴＰアプリケーションを、広く普及している非接触用のリーダライタによって実行させ、ＩＣカードにＯＴＰを生成させるＩＣカードシステムを提供する。【解決手段】接触インターフェースと非接触インターフェースを備えたＩＣカード１０には、接触インターフェースがデフォルトの動作インターフェースである接触アプリケーションを非接触インターフェースで動作させるためのクロスアクセスモジュール１０３と、接触アプリケーションとしてＯＴＰアプリケーション１０２が実装され、クライアント２０は、非接触インターフェースからＩＣカード１０を活性化させた後、ＩＣカード１０のクロスアクセスモジュール２００を利用して、非接触インターフェースでＯＴＰアプリケーション１０２を実行させる。【選択図】図１
2009271836.tif 000002
【特許請求の範囲】
【請求項１】
接触ＩＣインターフェースと非接触ＩＣインターフェースを備えたＩＣカードを用いたワンタイムパスワードの生成方法であって、
前記ＩＣカードは、前記接触ＩＣインターフェースがデフォルトの動作インターフェースである接触ＩＣアプリケーションを非接触ＩＣインターフェースで動作させるためのクロスアクセス機能を備え、前記接触ＩＣアプリケーションとしてワンタイムパスワードを生成するアプリケーションであるワンタイムパスワードアプリケーションを前記ＩＣカードに実装させておき、
ステップ１）非接触通信用の端末装置が、前記ＩＣカードを前記非接触ＩＣインターフェースから活性化させるステップ、
ステップ２）前記端末装置が、前記ＩＣカードの前記クロスアクセス機能を利用して、前記非接触ＩＣインターフェースで前記ワンタイムパスワードアプリケーションを実行させ、前記ＩＣカードから前記ワンタイムパスワードを受信するステップ、
を順に実行することを特徴とするワンタイムパスワードの生成方法。
【請求項２】
接触ＩＣインターフェースと非接触ＩＣインターフェースを備えたＩＣカードと、前記ＩＣカードと非接触通信する端末装置とから少なくとも構成されるＩＣカードシステムであって、
前記ＩＣカードは、前記接触ＩＣインターフェースがデフォルトの動作インターフェースである接触ＩＣアプリケーションを前記非接触ＩＣインターフェースで動作させるためのクロスアクセス手段を備え、前記接触ＩＣアプリケーションとしてワンタイムパスワードを生成するアプリケーションであるワンタイムパスワードアプリケーションを実装し、
前記端末装置は、前記非接触ＩＣインターフェースから前記ＩＣカードを活性化させた後、前記ＩＣカードの前記クロスアクセス手段を利用して、前記非接触ＩＣインターフェースで前記ワンタイムパスワードアプリケーションを実行させる手段を備えている、
ことを特徴とするＩＣカードシステム。
【請求項３】
接触ＩＣインターフェースと非接触ＩＣインターフェースを備えたＩＣカードであって、
前記接触ＩＣインターフェースがデフォルトの動作インターフェースである接触ＩＣアプリケーションを前記非接触ＩＣインターフェースで動作させるためのクロスアクセス手段を備え、
前記接触ＩＣアプリケーションとしてワンタイムパスワードを生成するアプリケーションであるワンタイムパスワードアプリケーションを実装している、
ことを特徴とするＩＣカード。
【発明の詳細な説明】
【技術分野】
【０００１】
本発明は、半導体集積回路を実装したカードであるＩＣカードに関し、更に詳しくは、ＩＣカードを利用してワンタイムパスワードを生成するための技術に関する。
【背景技術】
【０００２】
半導体集積回路（ＩＣチップ）がエンベットされたＩＣカードは、現在、銀行やクレジットの金融関係では、接触型ＩＣカード用のインフラが整備され、交通用途や電子マネーでは、ＦｅｌｉＣａ（登録商標）に代表される非接触型ＩＣカード用のインフラが整理されている。このため、カード製造会社は、様々なインフラへの対応を可能とすべく、接触インターフェースと非接触インターフェースの２つのインターフェースを兼ね備えたデュアルインターフェースＩＣカードを開発している。
【０００３】
デュアルインターフェースＩＣカードに関する発明としては、例えば、特許文献１において、接触ＩＣインターフェースから供給される信号の状態と、非接触ＩＣインターフェースから供給される信号の状態を比較し、比較結果に応じて利用するインターフェースを選択するＩＣカードが開示されている。
【０００４】
また、特許文献２においては、接触ＩＣインターフェースおよび非接触ＩＣインターフェースのどちらにより起動されているか判別し、この判別結果に応じて、実行可能なコマンドを切り替えるＩＣカードが開示されている。
【０００５】
また、特許文献３においては、デュアルインターフェースＩＣカードに実装されたアプリケーションの実行に係わる発明で、ＩＣカードの活性化に利用されたインターフェースを選択的に利用するＩＣカードが開示されている。
【０００６】
更に、特許文献４においては、端末装置との通信条件に適合するインターフェースを選択した後、端末装置から送信されたコマンドによって、利用するインターフェースを切り替えるＩＣカードが開示されている。
【０００７】
インターネット上のネットバンクなどのインターネット取引において利用されるワンタイムパスワード（OTP: One Time Password）の生成に、このようなデュアルインターフェースＩＣカードを利用する場合、一般的に、交通用途や電子マネーの用途で普及しているＩＣカードは、高速処理用に開発されたものであり、演算時間のかかる高度な演算処理には不向きである。そのため、ＯＴＰのアプリケーションは、銀行やクレジットなど金融関係のインフラで利用される接触用アプリケーションがデファクトになりつつある。
【０００８】
しかし、一方で、個人のインフラとしては、非接触ＩＣカード用のリーダライタが普及しているため、個人のインフラで、接触インターフェースで動作するＯＴＰのアプリケーションを個人宅で利用できるようにするためには、別途、接触ＩＣカード用のリーダライタを個人に支給しなければならなかった。
【特許文献１】特開平１０−１２４６２６号公報
【特許文献２】特開平１１−２７２８２４号公報
【特許文献３】特開２０００−４０１２９号公報
【特許文献４】特開２００３−３６４２８号公報
【発明の開示】
【発明が解決しようとする課題】
【０００９】
そこで、本発明は、接触ＩＣ用のインフラで利用されるために、デュアルインターフェースＩＣカードに実装されているＯＴＰのアプリケーションを、個人利用のインフラで広く普及している非接触ＩＣ用のリーダライタによって実行させてＯＴＰを生成する方法、ＩＣカードシステム、及び、デュアルインターフェースＩＣカードを提供することを目的とする。
【課題を解決するための手段】
【００１０】
上述した課題を解決する第１の発明は、接触インターフェースと非接触インターフェースを備えたＩＣカードを用いたワンタイムパスワードの生成方法であって、
前記ＩＣカードは、前記接触ＩＣインターフェースがデフォルトの動作インターフェースである接触ＩＣアプリケーションを非接触ＩＣインターフェースで動作させるためのクロスアクセス機能を備え、前記接触ＩＣアプリケーションとして、ワンタイムパスワードを生成するアプリケーションであるワンタイムパスワードアプリケーションを前記ＩＣカードに実装させておき、
ステップ１）非接触通信用の端末装置が、前記ＩＣカードを前記非接触ＩＣインターフェースから活性化させるステップ、
ステップ２）前記端末装置が、前記ＩＣカードの前記クロスアクセス機能を利用して、前記非接触ＩＣインターフェースで前記ワンタイムパスワードアプリケーションを実行させ、前記ＩＣカードから前記ワンタイムパスワードを受信するステップ、
を順に実行することを特徴とするワンタイムパスワードの生成方法である。
【００１１】
更に、第２の発明は、接触ＩＣインターフェースと非接触ＩＣインターフェースを備えたＩＣカードと、前記ＩＣカードと非接触通信する端末装置とから少なくとも構成されるＩＣカードシステムであって、
前記ＩＣカードは、前記接触ＩＣインターフェースがデフォルトの動作インターフェースである接触ＩＣアプリケーションを前記非接触ＩＣインターフェースで動作させるためのクロスアクセス手段を備え、前記接触ＩＣアプリケーションとしてワンタイムパスワードを生成するアプリケーションであるワンタイムパスワードアプリケーションを実装し、
前記端末装置は、前記非接触ＩＣインターフェースから前記ＩＣカードを活性化させた後、前記ＩＣカードの前記クロスアクセス手段を利用して、前記非接触ＩＣインターフェースで前記ワンタイムパスワードアプリケーションを実行させる手段を備えていることを特徴とするＩＣカードシステムである。
【００１２】
更に、第３の発明は、接触ＩＣインターフェースと非接触ＩＣインターフェースを備えたＩＣカードであって、前記接触インターフェースがデフォルトの動作インターフェースである接触ＩＣアプリケーションを前記非接触ＩＣインターフェースで動作させるためのクロスアクセス手段を備え、前記接触ＩＣアプリケーションとしてワンタイムパスワードを生成するアプリケーションであるワンタイムパスワードアプリケーションを実装していることを特徴とするＩＣカードである。
【発明の効果】
【００１３】
上述した本発明によれば、クロスアクセス機能を備えたデュアルインターフェースＩＣカードに、接触ＩＣ用のインフラで利用されるＯＴＰのアプリケーションを実装させておけば、個人利用のインフラで広く普及している非接触ＩＣ用のリーダライタによって、このアプリケーションを実行させ、ＯＴＰを生成することのできるようになる。
【発明を実施するための最良の形態】
【００１４】
ここから、本発明に係わるデュアルインターフェースＩＣカード１０、および、本発明に係わるデュアルインターフェースＩＣカード１０を利用したＩＣカードシステム１について、図を参照しながら詳細に説明する。
【００１５】
図１は、本実施形態に係わるＩＣカードシステム１を説明する図である。図１で図示したＩＣカードシステム１は、インターネット取引を実行するＷｅｂサーバ３０が認証するワンタイムパスワード（OTP: One Time Password）を生成するためのシステムで、ＯＴＰを生成するとき利用される装置として、ＯＴＰを生成する機能を備えたデュアルインターフェースＩＣカード１０（以下、単に「ＩＣカード」と記す。）と、ＩＣカード１０と非接触通信する非接触ＩＣリーダライタ２１と、非接触リーダライタ２１が接続されたクライアント２０とが備えられ、クライアント２０とＷｅｂサーバ３０はインターネット４０を介して接続されている。
【００１６】
まず、ＯＴＰを生成する機能を備えたＩＣカード１０について説明する。図２は、ＩＣカード１０を説明する図で、図２（ａ）はＩＣカード１０の構造を説明する図で、図２（ｂ）、（ｃ）はＩＣカード１０に実装されるＩＣチップ１１を説明する図である。
【００１７】
図２（ａ）で図示した様に、ＩＣカード１０には、接触ＩＣインターフェースと非接触ＩＣインターフェースの２つの通信インターフェースを兼ね備えたＩＣチップ１２がモールドされたＩＣモジュール１１が実装され、ＩＣカード１の内部には、非接触ＩＣインターフェースで利用するアンテナコイル１３が内蔵されている。
【００１８】
図２（ｂ）はＩＣモジュール１１の表面を説明する図で、図２（ｃ）はＩＣモジュール１１の裏面を説明する図である。図２（ｂ）に図示したように、ＩＣモジュール１１は、コンタクト端子１１０（Ｃ１）〜コンタクト端子１１０（Ｃ８）を有し、それぞれのコンタクト端子１１０はＩＣチップ１２の接触ＩＣインターフェース用の端子に接続されている。
【００１９】
また、図２（ｃ）に図示したように、ＩＣモジュール１１の裏面には、ＩＣカード１０に内蔵されるアンテナコイル１３の両端１３ａと接続するための接続端子１１１が設けられ、この接続端子１１１はＩＣチップの非接触ＩＣインターフェース用の端子に接続されており、導電性接着剤などによって、アンテナコイル１３の両端１３ａと接続端子１１１は電気的に接続される。
【００２０】
図３は、ＩＣカード１０に実装されるＩＣチップ１２のブロック図である。図３で図示したように、ＩＣカード１０に実装されるＩＣチップ１２には、演算機能およびＩＣチップ２の回路やメモリを制御する機能を備えた中央演算装置１２０（CPU：Central Processing Unit）に、発性メモリとしてランダムアクセスメモリ１２３（RAM：Random Access Memory）と、読み出し専用の不揮発性メモリ１２２（ROＭ：Read Only Memory）と、電気的に書換え可能な不揮発性メモリとしてＥＥＰＲＯＭ１２１（EEPROM：Electrically Erasable Programmable Read-Only Memoryの略）と、接触インターフェースのシリアルＩ／Ｏ１２４と、アンテナコイル１３の両端１３ａと電気的に接続するＲＦ端子１２５を備え、ＩＣチップ１２のメモリ（ここでは、ＲＯＭ１２２とＥＥＰＲＯＭ１２１）には、ＩＣチップ１２を動作させるためのコンピュータプログラムが実装される。
【００２１】
図４は、ＩＣカード１に実装されるソフトウェアを説明する図である。図４に図示した用に、ＩＣカード１０には、伝送制御モジュールとして、シリアルＩ／Ｏ１２４を制御し、接触ＩＣインターフェースで動作するときに利用する伝送制御プロトコル（例えば、ＩＳＯ／ＩＥＣ７８１６の伝送制御プロトコル）を実現するため接触ＩＣ用伝送制御モジュール１０４と、ＲＦインターフェース１２５を制御し、非接触インターフェースで動作するときに利用するプロトコル（例えば、ＦｅｌｉＣａ（登録商標）の伝送制御プロトコル）を実現するための非接触ＩＣ用伝送制御モジュール１０５が実装される。
【００２２】
また、ＩＣカード１０には、オペレーティングシステム（OS: Operating System）として、ＩＣカード１０が接触ＩＣインターフェースから起動したときにデフォルトで起動させるＯＳである接触ＩＣ用ＯＳ１００と、ＩＣカード１０が非接触ＩＣインターフェースで起動したときにデフォルトで起動させるＯＳである非接触ＩＣ用ＯＳ１０１の２つのＯＳが実装されている。
【００２３】
接触用ＯＳ１００には、接触用ＯＳ１００上で動作するアプリケーションとして、ＯＴＰを生成するアプリケーション１０２（以下、「ＯＴＰアプリケーション」と記す。）が実装されている。ＯＴＰアプリケーション１０２は、端末装置（図１は、非接触リーダライタ２１）からＯＴＰを生成するコマンド（以下、「ＯＴＰ生成コマンド」と記す。）を備え、更に、ＯＴＰ生成コマンドが実行されるごとにインクリメントされるカウンタを保持している。
【００２４】
ＯＴＰ生成コマンドは、所定のアルゴリズムに従い、このカウンタの値を演算することでＯＴＰを生成すると、カウンタの値をインクリメントし、生成したＯＴＰは端末装置に返信される。
【００２５】
本発明は、ＩＣカード１０に実装される接触ＩＣ用ＯＳ１００および非接触ＩＣ用ＯＳ１０１の種類を問はないが、広く普及しているＯＳを例にとれば、接触ＩＣ用ＯＳ１００はＪａｖａ（登録商標）で、非接触ＩＣ用ＯＳ１０１は、交通機関系で広く利用されているＦｅｌｉＣａ（登録商標）である。
【００２６】
基本的には、接触ＩＣ用ＯＳ１００は、ＩＣカード１０が接触ＩＣインターフェースで起動したときにデフォルトで動作し、非接触ＩＣ用ＯＳ１０１は、ＩＣカード１０が非接触ＩＣインターフェースで起動したときにデフォルトで動作するが、ＩＣカード１０に備えられたクロスアクセス機能によって、接触ＩＣ用ＯＳ１００および非接触ＩＣ用ＯＳ１０１は、接触ＩＣインターフェースおよび非接触ＩＣインターフェースのいずれでも動作するように設計されている。
【００２７】
ＩＣカード１０に備えられたクロスアクセス機能を実現するソフトウェアとして、ＩＣカード１０にはクロスアクセスモジュール１０３が備えられ、本実施形態においては、クロスアクセスモジュール１０３は、接触ＩＣインターフェースでＩＣカード１０が動作しているときに非接触ＩＣ用ＯＳ１０１を起動させるための特殊なコマンド（以下、「特殊コマンドＡ」と記す。）と、非接触ＩＣインターフェースでＩＣカード１０が動作しているときに接触ＩＣ用ＯＳ１００を起動させるための特殊なコマンド（以下、「特殊コマンドＢ」と記す。）を備えることで、クロスアクセス機能を実現する。
【００２８】
クロスアクセスモジュール１０３は、接触ＩＣインターフェースで動作しているときに、接触用伝送モジュール１０４が受け渡されたデータが特殊コマンドＡであれば非接触ＩＣ用ＯＳ１０１を起動させ、それ以外ならば、起動しているＯＳに受け渡し、起動しているＯＳに処理を依頼する。
【００２９】
また、クロスアクセスモジュール１０３は、非接触ＩＣインターフェースで動作しているときに、非接触ＩＣ用伝送モジュール１０５が受け渡されたデータが特殊コマンドＢであれば接触ＩＣ用ＯＳ１０４を起動させ、それ以外ならば、起動しているＯＳに受け渡し、起動しているＯＳに処理を依頼する。
【００３０】
次に、クライアント２０と非接触ＩＣリーダライタ２１について説明する。図５は、クライアント２０と非接触ＩＣリーダライタ２１のブロック図である。
【００３１】
クライアント２０は、ＣＰＵやメモリなどを備えた汎用のパーソナルコンピュータで、図５に図示したように、クライアント２０には、クライアントを機能させるためのコンピュータプログラムとして、非接触ＩＣインターフェースからＩＣカード１０を活性化させた後、ＩＣカード１０のクロスアクセス機能を利用して、非接触ＩＣインターフェースでＯＴＰ１０２アプリケーションを実行させる手段となるビューアアプリケーション２００と、非接触ＩＣリーダライタ２１を制御するコンピュータプログラムであるドライバ２０１が実装されている。
【００３２】
クライアント２０のビューアアプリケーション２００は、ドライバ２０１を利用して、ＩＣカード１０に一連の処理を実行させるためのプログラムで、ビューアアプリケーション２００は、非接触ＩＣインターフェースからＩＣカード１０を活性化させた後、特殊コマンドＢを用いて、接触ＩＣ用ＯＳ１００を起動させ、ＯＴＰアプリケーション１０２を選択してＯＴＰ生成コマンドをＩＣカード１０に実行させることで、ＩＣカード１０にＯＴＰを生成させる処理を実行させるためのコンピュータプログラムである。
【００３３】
クライアント２０のドライバ２０１は、非接触ＩＣリーダライタ２１を制御し、ＩＣカード１０の非接触ＩＣ用伝送制御モジュール１０５に対応した伝送制御プロトコルに従い、ＩＣカード１０との非接触ＩＣ通信を実行するためのコンピュータプログラムである。
【００３４】
非接触ＩＣリーダライタ２１は、ＩＣカード１０に適したリーダライタで、内部には、アンテナコイル２１１と、アンテナコイル２１１を利用してデータをトランスミット／レシーブするためのＲＦ制御回路が組み込まれている。
【００３５】
ここから、図１で図示したＩＣカードシステム１の動作について説明する。図６は、ＩＣカードシステム１全体の動作手順を示したフロー図である。ＩＣカード１０の所持者であるユーザがＷｅｂサーバ３０でインターネット取引を実施する前に、クライアント２０のディスプレイに表示されているアイコンをクリックするなどして、クライアント２０のビューアアプリケーション２００を起動させる（Ｓ１）。
【００３６】
ビューアアプリケーション２００は起動すると、ドライバ２０１を介し、クライアント２０と接続している非接触ＩＣリーダライタ２１に対して、ＩＣカード１０を活性化する命令を送信し、非接触ＩＣリーダライタ２１は非接触ＩＣインターフェースでＩＣカード１０を活性化する（Ｓ２）。
【００３７】
ビューアアプリケーション２００はＩＣカード１０を活性化すると、定められた手順に従い接触ＩＣ用ＯＳ１００を起動させた後、ＯＴＰアプリケーション１０２を利用してＩＣカード１０にＯＴＰを生成させ、ＩＣカード１０から受信したＯＴＰをクライアント２０のディスプレイに表示する（Ｓ３）。なお、このＳ３の詳細内容については後述する。
【００３８】
ユーザは、クライアント２０のディスプレイに表示されたＯＴＰをメモ書きするなどした後、クライアント２０にインストールされたブラウザを操作してＷｅｂサーバ３０にアクセスする。Ｗｅｂサーバ３０はクライアント２０からアクセスがあると、ＯＴＰを入力するフォームを備えたＷｅｂページをクライアント２０に配信し、ユーザはこのＷｅｂページに、メモ書きしたＯＴＰを入力し、Ｗｅｂサーバ３０にＯＴＰを送信する（Ｓ４）。
【００３９】
Ｗｅｂサーバ３０は、ＩＣカード１０のＯＴＰアプリケーション１０２と同じアルゴリズムでＯＴＰを生成し、Ｗｅｂサーバ３０が生成したＯＴＰとクライアント２０から送信されたＯＴＰを照合することで、クライアント２０を操作しているユーザを認証し、ＯＴＰの照合に成功すると、インターネット取引の処理を継続し、ＯＴＰの照合に失敗すると、インターネット取引の処理を中止する（Ｓ５）。
【００４０】
図７は、ＩＣカード１０がＯＴＰを生成する詳細手順を示したフロー図で、図６のＳ３の詳細内容を説明する図である。図６のＳ２が実行され、非接触ＩＣインターフェースからＩＣカード１０が活性化されると、非接触ＩＣ用ＯＳ１０１が起動し（Ｓ１０）、ＩＣカード１０はコマンド受信待ちの状態になる（Ｓ１１）。
【００４１】
非接触ＩＣリーダライタ２１から非接触ＩＣ伝送モジュール１０５がコマンドを受信すると、ＩＣカード１０のクロスアクセスモジュール１０３は、非接触ＩＣ伝送制御モジュール１０５が受信したコマンドを非接触用ＯＳ１０１に受け渡す前に、接触ＩＣ用ＯＳ１００を起動させる特殊コマンドＡであるか否かを確認し（Ｓ１２）、特殊コマンドＡであれば接触ＩＣ用ＯＳ１００を起動する処理を実行し（Ｓ１３）、コマンド受信待ちの状態（Ｓ１１）に戻る。
【００４２】
また、特殊コマンドＡでないときは、クロスアクセスモジュール１０３は、接触ＩＣ用ＯＳ１００が起動中であるか確認し（Ｓ１４）、接触ＩＣ用ＯＳ１００が起動中であれば、接触ＩＣ用ＯＳ１００にコマンドにコマンドを受け渡し、接触ＩＣ用ＯＳ１００にコマンドの処理を依頼し（Ｓ１５）、接触ＩＣ用ＯＳ１００がコマンドを処理した後、コマンド受信待ちの状態（Ｓ１１）に戻る。
【００４３】
更に、Ｓ１４で接触ＩＣ用ＯＳ１００が起動中でなければ、非接触ＩＣ用ＯＳ１０１にコマンドを受け渡し、非接触ＩＣ用ＯＳ１０１にコマンドの処理を依頼し（Ｓ１６）、非接触ＩＣ用ＯＳ１０１がコマンドを処理した後、コマンド受信待ちの状態に戻る（Ｓ１１）。
【００４４】
ＩＣカード１０にＯＴＰを生成させるときは、図７のＳ１５において、ＯＴＰアプリケーション１０２を選択するコマンドを非接触ＩＣインターフェースでＩＣカード１０に送信した後、ＯＴＰ生成コマンドをＩＣカード１０に送信し、ＩＣカード１０にＯＴＰを生成させる。
【００４５】
なお、図７のフローは、ビューアアプリケーション２００から非接触ＩＣリーダライタ２１にＩＣカード１０を非活性化する命令が送信され、非接触ＩＣリーダライタ２１がＩＣカード１０を非活性化したときに終了する。
【００４６】
このように、本発明によれば、クロスアクセス機能を備えたＩＣカード１０に、接触ＩＣカード用のインフラで利用されるＯＴＰアプリケーション１０２を実装させおくことで、ユーザは普段使用している個人利用のインフラで、インターネット取引で利用されるワンタイムパスワードを生成できるようになる。
【図面の簡単な説明】
【００４７】
【図１】ＩＣカードシステムを説明する図。
【図２】ＩＣカードを説明する図。
【図３】ＩＣカードに実装されるＩＣチップのブロック図。
【図４】ＩＣカードに実装されるソフトウェアを説明する図。
【図５】クライアントと非接触リーダライタのブロック図。
【図６】ＩＣカードシステム全体の動作手順を示したフロー図。
【図７】ＩＣカードがＯＴＰを生成する詳細手順を示したフロー図。
【符号の説明】
【００４８】
１  ＩＣカードシステム
１０  ＩＣカード
１００  接触ＩＣ用ＯＳ
１０１  非接触ＩＣ用ＯＳ
１０２  ＯＴＰアプリケーション
１０３  クロスアクセスモジュール
２０  クライアント
２１  非接触ＩＣリーダライタ
３０  Ｗｅｂサーバ
【図１】
2009271836.tif 000003
【図２】
2009271836.tif 000004
【図３】
2009271836.tif 000005
【図４】
2009271836.tif 000006
【図５】
2009271836.tif 000007
【図６】
2009271836.tif 000008
【図７】
2009271836.tif 000009